(57)【要約】【課題】複数の部屋に配置されたスピーカにオーディオ信号を出力することが可能な出力端子を備えたオーディオ信号出力装置であって、１台の装置により複数の部屋に確実に緊急警報放送を出力することができるオーディオ信号出力装置を提供する。【解決手段】緊急警報放送受信装置からの信号を入力する第１入力端子と、緊急警報放送受信装置以外の装置からの信号を入力する第２入力端子と、第１又は第２入力端子から入力する信号を切り換える第１及び第２入力切換部と、緊急警報信号を検出する緊急警報信号検出部と、第１入力切換部が第１入力端子に接続され、第２入力切換部が前記第２入力端子に接続され、緊急警報信号検出部から検出信号が入力した場合に第２入力切換部を第２入力端子から第１入力端子に切り換える制御をする制御部とを備える。【選択図】      図１
2006279523.tif 000002
【特許請求の範囲】
【請求項１】
複数の部屋に配置された複数のスピーカにオーディオ信号を出力することが可能な出力端子を備えたオーディオ信号出力装置において、緊急警報放送を受信することが可能な放送受信回路からの信号を入力する第１入力部と、音響装置からの信号を入力する第２入力部と、前記第１入力部及び前記第２入力部から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力部から入力する信号から緊急警報放送の信号を検出した場合に検出信号を出力する緊急警報信号検出部と、前記第１入力切換部が前記第１入力部に接続され、前記第２入力切換部が前記第２入力部に接続され、前記緊急警報信号検出部から検出信号が入力したときに前記第１入力部から入力する信号を前記第２出力端子から出力するよう前記第２入力切換部を前記第２入力部から前記第１入力部に切り換える制御をする制御部とを備えることを特徴とするオーディオ信号出力装置。
【請求項２】
複数の部屋に配置された複数のスピーカにオーディオ信号を出力することが可能な出力端子を備えたオーディオ信号出力装置において、緊急警報放送を受信することが可能な放送受信回路からの信号を入力する第１入力部と、音響機器からの信号を入力する第２入力部と、前記第１入力部及び前記第２入力部から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力部から入力する信号から緊急警報放送の信号を検出した場合に検出信号を出力する緊急警報信号検出部と、前記第１出力部及び前記第２出力部に電力を供給する電源部と、前記電源部がスタンバイ状態であり前記第１入力切換部が前記第１入力部に接続され、前記第２入力切換部が前記第２入力部に接続され、前記緊急警報信号検出部から検出信号が入力したときに前記電源部をオン状態にし前記第１入力部から入力する信号を前記第２出力端子から出力するよう前記第２入力切換部を前記第２入力部から前記第１入力部に切り換える制御をする制御部とを備えることを特徴とするオーディオ信号出力装置。
【請求項３】
緊急警報放送を受信することが可能な放送受信装置からの信号を入力する第１入力端子と、前記放送受信装置以外の装置からの信号を入力する第２入力端子と、前記第１入力端子及び前記第２入力端子から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力端子から入力する信号から緊急警報放送の信号を検出した場合に検出信号を出力する緊急警報信号検出部と、前記第１入力切換部が前記第１入力端子に接続され、前記第２入力切換部が前記第２入力端子に接続され、前記緊急警報信号検出部から検出信号が入力したときに前記第１入力端子から入力する信号を前記第２出力端子から出力するよう前記第２入力切換部を前記第２入力端子から前記第１入力端子に切り換える制御をする制御部とを備えることを特徴とするオーディオ信号出力装置。
【請求項４】
緊急警報放送を受信することが可能な放送受信装置からの信号を入力する第１入力端子と、前記放送受信装置以外の装置からの信号を入力する第２入力端子と、前記第１入力端子及び前記第２入力端子から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力端子から入力する信号から緊急警報放送の信号を検出した場合に検出信号を出力する緊急警報信号検出部と、前記第１出力部及び前記第２出力部に電力を供給する電源部と、前記電源部がスタンバイ状態であり前記第１入力切換部が前記第１入力端子に接続され、前記第２入力切換部が前記第２入力端子に接続され、前記緊急警報信号検出部から検出信号が入力したときに前記電源部をオン状態にし前記第１入力端子から入力する信号を前記第２出力端子から出力するよう前記第２入力切換部を前記第２入力端子から前記第１入力端子に切り換える制御をする制御部とを備えることを特徴とするオーディオ信号出力装置。
【請求項５】
緊急警報放送を受信することが可能な放送受信装置からの信号を入力する入力端子と、前記入力端子から入力する信号に信号処理を施し増幅して出力する出力部と、前記出力部から出力された信号の出力先を切り換える入力切換部と、前記入力切換部から出力された信号を出力する第１出力端子及び第２出力端子と、前記入力端子から入力する信号から緊急警報放送の信号を検出した場合に検出信号を出力する緊急警報信号検出部と、前記緊急警報信号検出部から検出信号が入力したときに前記入力端子から入力する信号を前記第１出力端子及び前記第２出力端子から出力するよう前記入力切換部を制御する制御部とを備えることを特徴とするオーディオ信号出力装置。
【請求項６】
緊急警報放送を受信することが可能な放送受信装置からの信号が入力する入力端子と、前記入力端子から入力する信号に信号処理を施し増幅して出力する出力部と、前記出力部から出力された信号の出力先を切り換える入力切換部と、前記入力切換部から出力された信号を外部に出力する第１出力端子及び第２出力端子と、前記入力端子から入力する信号から緊急警報放送の信号を検出した場合に検出信号を出力する緊急警報信号検出部と、前記出力部に電力を供給する電源部と、前記電源部がスタンバイ状態であり前記緊急警報信号検出部から検出信号が入力したときに前記電源部をオン状態にし前記入力端子から入力する信号を前記第１出力端子及び前記第２出力端子から出力するよう前記入力切換部を制御する制御部とを備えることを特徴とするオーディオ信号出力装置。
【請求項７】
請求項１乃至請求項６記載のオーディオ信号出力装置において、前記緊急警報信号検出部は、アナログテレビジョン放送、ラジオ放送、地上波デジタルテレビジョン放送、ＢＳデジタル放送のうちの少なくとも一つの放送の緊急警報放送を受信する緊急警報放送受信装置から入力する信号から緊急警報信号を検出することを特徴とするオーディオ信号出力装置。
【発明の詳細な説明】
【技術分野】
【０００１】
本発明は、テレビ受信機や光ディスク再生装置から入力されたオーディオ信号をスピーカ等に出力するオーディオ信号出力装置に関する。
【背景技術】
【０００２】
従来、地震や津波などの非常災害が発生した時又は発生するおそれがある時、テレビ放送やラジオ放送を通じて緊急警報放送が行われる。この緊急警報放送システムについては、非特許文献１に開示されている。
【０００３】
当該緊急警報放送は、テレビ放送やラジオ放送の音声信号に重畳され放送される。緊急警報放送を受信する装置として、特許文献１、特許文献２及び特許文献３に開示されているような緊急警報放送受信装置がある。
【０００４】
特許文献１に開示されている複合音響装置は、カセットプレーヤやコンパクト・ディスク（Compact Disk：ＣＤ）プレーヤ等の再生装置とラジオ受信機が一体化した装置であって、再生装置がカセットテープやＣＤに記録されているオーディオ信号を再生中であってもラジオ受信機が緊急警報放送を受信した場合、再生装置によるオーディオ信号の再生を停止させ、ラジオ受信機の緊急警報放送に切り換えて出力する。特許文献２に開示されている緊急警報放送受信機は、電源コードを必要とせず、電源コンセントに直接本体を接続するものである。特許文献３に開示されている緊急放送受信システムは、テレビ受信機の主電源がオフの状態であっても、緊急放送処理部が緊急警報放送を受信した場合に、テレビ受信機の主電源をオンにして緊急警報放送を出力する。
【０００５】
【非特許文献１】緊急警報放送システム                      （http://www.nhk.or.jp/res/tvres5/h50100.htm）
【特許文献１】特開平６−２１８４０
【特許文献２】特開平１０−９８４０４
【特許文献３】特開２００４−２３５９１
【発明の開示】
【発明が解決しようとする課題】
【０００６】
前述した特許文献１乃至特許文献３に開示されている緊急放送受信装置は、緊急警報放送を受信した場合に、複数の部屋に同時に緊急放送を通知する手段を備えてない。このため、例えば、緊急警報放送受信装置をリビングルームに設置し、ユーザがベッドルームで就寝している場合、深夜に緊急警報放送があり、緊急警報放送受信装置が緊急警報信号を受信し緊急警報放送をスピーカから出力しても、ユーザがその緊急警報放送を聞き取ることが出来ないことがある。
【０００７】
また、緊急警報放送受信装置を各部屋に配置する場合には、部屋数分の緊急警報放送受信装置が必要となり、費用がかかる。
【０００８】
また、テレビ放送やラジオ放送の受信状態が悪い部屋など、部屋の場所によっては、緊急警報放送を受信できず、緊急警報放送がユーザに知されない場合がある。
【０００９】
本発明は、複数の部屋に配置されたスピーカにオーディオ信号を出力することが可能な出力端子を備えたオーディオ信号出力装置において、１台の装置により複数の部屋に確実に緊急警報放送を出力することができるオーディオ信号出力装置を提供することを目的とする。
【課題を解決するための手段】
【００１０】
本願の発明は、複数の部屋に配置された複数のスピーカにオーディオ信号を出力することが可能な出力端子を備えたオーディオ信号出力装置において、緊急警報放送を受信することが可能な放送受信回路からの信号を入力する第１入力部と、音響装置からの信号を入力する第２入力部と、前記第１入力部及び前記第２入力部から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力部から入力する信号から緊急警報放送の信号を検出した場合に検出信号を出力する緊急警報信号検出部と、前記第１入力切換部が前記第１入力部に接続され、前記第２入力切換部が前記第２入力部に接続され、前記緊急警報信号検出部から検出信号が入力したときに前記第１入力部から入力する信号を前記第２出力端子から出力するよう前記第２入力切換部を前記第２入力部から前記第１入力部に切り換える制御をする制御部とを備えることを特徴とする。
【００１１】
本願の発明は、複数の部屋に配置された複数のスピーカにオーディオ信号を出力することが可能な出力端子を備えたオーディオ信号出力装置において、緊急警報放送を受信することが可能な放送受信回路からの信号を入力する第１入力部と、音響機器からの信号を入力する第２入力部と、前記第１入力部及び前記第２入力部から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力部から入力する信号から緊急警報放送の信号を検出した場合に検出信号を出力する緊急警報信号検出部と、前記第１出力部及び前記第２出力部に電力を供給する電源部と、前記電源部がスタンバイ状態であり前記第１入力切換部が前記第１入力部に接続され、前記第２入力切換部が前記第２入力部に接続され、前記緊急警報信号検出部から検出信号が入力したときに前記電源部をオン状態にし前記第１入力部から入力する信号を前記第２出力端子から出力するよう前記第２入力切換部を前記第２入力部から前記第１入力部に切り換える制御をする制御部とを備えることを特徴とする。
【００１２】
本願の発明は、オーディオ信号出力装置において、緊急警報放送を受信することが可能な放送受信装置からの信号を入力する第１入力端子と、前記放送受信装置以外の装置からの信号を入力する第２入力端子と、前記第１入力端子及び前記第２入力端子から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力端子から入力する信号から緊急警報放送の信号を検出した場合に検出信号を出力する緊急警報信号検出部と、前記第１入力切換部が前記第１入力端子に接続され、前記第２入力切換部が前記第２入力端子に接続され、前記緊急警報信号検出部から検出信号が入力したときに前記第１入力端子から入力する信号を前記第２出力端子から出力するよう前記第２入力切換部を前記第２入力端子から前記第１入力端子に切り換える制御をする制御部とを備えることを特徴とする。
【００１３】
本願の発明は、オーディオ信号出力装置において、緊急警報放送を受信することが可能な放送受信装置からの信号を入力する第１入力端子と、前記放送受信装置以外の装置からの信号を入力する第２入力端子と、前記第１入力端子及び前記第２入力端子から入力する信号を切り換えて出力する第１入力切換部及び第２入力切換部と、前記第１入力切換部から出力された信号に信号処理を施し増幅して出力する第１出力部と、前記第２入力切換部から出力された信号に信号処理を施し増幅して出力する第２出力部と、前記第１出力部から出力された信号を出力する第１出力端子と、前記第２出力部から出力された信号を出力する第２出力端子と、前記第１入力端子から入力する信号から緊急警報放送の信号を検出した場合に検出信号を出力する緊急警報信号検出部と、前記第１出力部及び前記第２出力部に電力を供給する電源部と、前記電源部がスタンバイ状態であり前記第１入力切換部が前記第１入力端子に接続され、前記第２入力切換部が前記第２入力端子に接続され、前記緊急警報信号検出部から検出信号が入力したときに前記電源部をオン状態にし前記第１入力端子から入力する信号を前記第２出力端子から出力するよう前記第２入力切換部を前記第２入力端子から前記第１入力端子に切り換える制御をする制御部とを備えることを特徴とする。
【００１４】
本願の発明は、オーディオ信号出力装置において、緊急警報放送を受信することが可能な放送受信装置からの信号を入力する入力端子と、前記入力端子から入力する信号に信号処理を施し増幅して出力する出力部と、前記出力部から出力された信号の出力先を切り換える入力切換部と、前記入力切換部から出力された信号を出力する第１出力端子及び第２出力端子と、前記入力端子から入力する信号から緊急警報放送の信号を検出した場合に検出信号を出力する緊急警報信号検出部と、前記緊急警報信号検出部から検出信号が入力したときに前記入力端子から入力する信号を前記第１出力端子及び前記第２出力端子から出力するよう前記入力切換部を制御する制御部とを備えることを特徴とする。
【００１５】
本願の発明は、オーディオ信号出力装置において、緊急警報放送を受信することが可能な放送受信装置からの信号が入力する入力端子と、前記入力端子から入力する信号に信号処理を施し増幅して出力する出力部と、前記出力部から出力された信号の出力先を切り換える入力切換部と、前記入力切換部から出力された信号を外部に出力する第１出力端子及び第２出力端子と、前記入力端子から入力する信号から緊急警報放送の信号を検出した場合に検出信号を出力する緊急警報信号検出部と、前記出力部に電力を供給する電源部と、前記電源部がスタンバイ状態であり前記緊急警報信号検出部から検出信号が入力したときに前記電源部をオン状態にし前記入力端子から入力する信号を前記第１出力端子及び前記第２出力端子から出力するよう前記入力切換部を制御する制御部とを備えることを特徴とする。
【００１６】
本願の発明は、前述したオーディオ信号出力装置において、前記緊急警報信号検出部は、アナログテレビジョン放送、ラジオ放送、地上波デジタルテレビジョン放送、ＢＳデジタル放送のうちの少なくとも一つの放送の緊急警報放送を受信する緊急警報放送受信装置から入力する信号から緊急警報信号を検出することを特徴とする。
【発明の効果】
【００１７】
本発明によれば、複数の部屋に配置されたスピーカにオーディオ信号を出力することが可能な出力端子を備えたオーディオ信号出力装置において、１台の装置により複数の部屋に確実に緊急警報放送を出力することができる。
【発明を実施するための最良の形態】
【００１８】
図１は、本発明のオーディオ信号出力装置の一実施形態の概略構成を示すブロック図である。
本発明のオーディオ信号出力装置は、例えば、オーディオ・ビジュアル（Audio Visual：ＡＶ）アンプであり、複数の装置を接続する複数の入力端子を備え、入力した信号をそれぞれ別々の出力先に出力する複数の出力端子を備える。例えば、当該ＡＶアンプは、ＣＤプレーヤから入力したオーディオ信号を視聴ルーム（ゾーンＡ）に設置されたスピーカに出力し、ミニ・ディスク（Mini Disk：ＭＤ）プレーヤから入力したオーディオ信号をベッドルーム（ゾーンＢ）に設置されたスピーカに出力することができる。本実施例において、オーディオ信号出力装置は、３つの入力端子を備え、３つの出力端子を備えるものとして説明するが、それに限定されず、２又は４以上の入力端子を備え、２又は４以上の出力部を備えていてもよい。
【００１９】
オーディオ信号出力装置は、第１入力端子１ａ〜第３入力端子１ｃ、緊急警報信号検出部２、第１入力切換部３ａ〜３ｃ、第１出力部４ａ〜第３出力部４ｃ、第１出力端子５ａ〜第３出力端子５ｃ、操作部６、電源部７、制御部８を備える。
【００２０】
オーディオ信号出力装置は、複数の入力端子（第１入力端子１ａ〜第３入力端子１ｃ）を備える。第１入力端子１ａ〜第３入力端子１ｃには、ディスクプレーヤ、テーププレーヤ、テレビジョン受信機、ラジオ受信機、緊急警報放送受信装置等が接続される。本実施例では、第１入力端子１ａに緊急警報放送受信装置９、第２入力端子１ｂにＣＤプレーヤ１０、第３入力端子１ｃにＭＤプレーヤ１１が接続されている。
【００２１】
本実施例では、緊急警報放送を受信する装置として専用の緊急警報放送受信装置を例に挙げて説明する。緊急警報放送は、アナログテレビジョン放送、ラジオ放送、地上波デジタルテレビジョン放送、ＢＳ（Broadcasting Satellite）デジタル放送で実施されており、本実施例の緊急警報放送受信装置は、前述した放送のラジオ受信機やテレビジョン受信機であってもよい。
【００２２】
緊急警報信号検出部２は、緊急警報放送受信装置９が接続されている第１入力端子１ａから入力する信号を復調し、緊急警報信号を検出し、緊急警報信号を検出すると検出信号を後述する制御部８に出力する。
【００２３】
緊急警報信号は、アナログ放送では、ラジオ放送やテレビ放送の音声信号として放送局から送信される。アナログ方式の緊急警報信号は、６４ｂｐｓ（bit per second）のＦＳＫ（frequency shift keying）信号であり、６４０Ｈｚと１０２４Ｈｚの２つの信号の組み合わせである。緊急警報信号には、「ピロピロ」等の音の開始信号と終了信号があり、開始信号と終了信号が一対となり緊急警報放送として放送される。開始信号と終了信号との間には、緊急警報情報のアナウンスやテロップが挿入される。緊急警報信号検出部２は、入力端子１ａから入力する信号から緊急警報信号の開始信号を検出した場合、後述する制御部８に検出信号を出力する。
【００２４】
緊急警報放送では予め定めた時刻（例えば、深夜１２時）に試験放送が行われており、当該試験放送は終了信号のみが送信される。緊急警報信号検出部２は、緊急警報信号の終了信号のみを受信した場合には検出信号を制御部８に出力しない。このことにより、緊急警報信号検出部２は、緊急警報放送の試験放送を除いた緊急警報信号を検出し、後述する制御部８に通知することができる。
【００２５】
デジタル方式の緊急警報信号は、デジタル放送に関するＴＭＣＣ（Transmission and Multiplexing Configuration and Control）情報のデータ構成が用いられ、緊急警報情報であることを示す記述子タグ（0xFC）、緊急警報情報（アナウンスやテロップ）の送出開始、送出中、送出終了を示す開始／終了フラグ等を備える。デジタル放送の場合も、データストリーム内に「ピロピロ」等の音の緊急警報信号が記録され放送局から送信される。緊急警報信号検出部２は、入力端子１ａから入力する信号から前記記述子タグを検出した場合、後述する制御部８に検出信号を出力する。
【００２６】
第１入力切換部３ａ〜第３入力切換部３ｃは、後述する制御部８の制御により、後段の第１出力部４ａ〜第３出力部４ｃに出力する信号を、第１入力端子１ａ〜第３入力端子１ｃから入力した複数のオーディオ信号の中から切り換える。
【００２７】
第１出力部４ａ〜第３出力部４ｃは、それぞれ第１信号処理部１２ａ〜第３信号処理部１２ｃ、第１増幅部１３ａ〜第３増幅部１３ｃを備える。第１信号処理部１２ａ〜第３信号処理部１２ｃは、後述する制御部８の制御により、入力したオーディオ信号に対して符号化、伸張処理等の信号処理を施し出力する。第１増幅部１３ａ〜第３増幅部１３ｃは、それぞれ第１信号処理部１２ａ〜第３信号処理部１２ｃから入力した信号を増幅し、増幅したオーディオ信号をそれぞれ第１出力端子４ａ〜第３出力端子４ｃに出力する。
【００２８】
第１出力端子５ａ〜第３出力端子５ｃは、第１出力部４ａ〜第３出力部４ｃからそれぞれ出力された信号をそれぞれスピーカに出力する。
【００２９】
当該オーディオ信号出力装置は、複数の入力端子（第１入力端子１ａ〜第３入力端子１ｃ）を介して複数の装置（緊急警報放送受信装置９、ＣＤプレーヤ１０、ＭＤプレーヤ１１）から入力される複数のオーディオ信号を、それぞれ異なる出力先（ゾーン１、ゾーン２、ゾーン３）のスピーカに出力できるように、各入力端子に対応して複数の入力切換部（第１入力切換部３ａ〜第３入力切換部３ｃ）、複数の出力部（第１出力部３ａ〜第３出力部３ｃ）及び複数の出力端子（第１出力端子５ａ〜第３出力端子５ｃ）を備える。
【００３０】
オーディオ信号出力装置は、後述する制御部８の制御により、例えば、緊急警報放送受信装置９から入力したオーディオ信号を第１入力切換部３ａ、第１出力部４ａ及び第１出力端子５ａを介してリビングルーム（ゾーン１）に設置されたスピーカ（第１スピーカ１４ａ）に出力し、ＣＤプレーヤ１０から入力した信号を第２入力切換部３ｂ、第２出力部４ｂ及び第２出力端子５ｂを介して視聴ルーム（ゾーン２）に設置されたスピーカ（第１スピーカ１４ｂ）に出力し、ＭＤプレーヤ１１から入力した信号を第３入力切換部３ｃ、第３出力部４ｃ及び第３出力端子５ｃを介してベッドルーム（ゾーン３）に設置されたスピーカ（第１スピーカ１４ｃ）に出力することができる。
【００３１】
操作部６は、電源のオン・オフ・スタンバイ（待機）を切り換える電源スイッチ、第１入力端子１ａ〜第３入力端子１ｃから入力したオーディオ信号をどの出力先（第１出力端子５ａ（第１スピーカ１４ａ）〜第３出力端子５ｃ（第３スピーカ１４ｃ））に出力するかの設定をする入出力設定スイッチ、オーディオ信号の出力音量を調整する音量調整ボリューム等を備える。操作部６は、各スイッチ及びボリュームの設定スイッチの切換に基づいて後述する制御部８に指示信号を出力する。
【００３２】
電源部７は、商用交流電源等から供給される電力を各回路に供給する。電源部７は、オン、オフ、スタンバイの状態を有する。電源部７がオフ状態の場合、装置内部の全ての回路への電力の供給が停止される。電源部７がスタンバイ状態の場合、出力部等の回路には電力が供給されないが、制御部、リモコン受信部（図示せず）には電力が供給される。リモコンによる電源オンの指示を入力した場合、リモコン受信部から電源オンの指示信号が制御部８に入力されると、制御部８は、電源部７に対し他の回路（出力部等）に電力を供給するよう制御する。電源部７がオフ状態の場合、制御部８、リモコン受信部を含め全ての回路への電力の供給が停止される。操作部６の電源スイッチのオン・オフ・スタンバイに基づいて各回路への電力の供給又は供給の停止を切り換える。電源部７は、スタンバイ状態の場合であっても後述する制御部８及び緊急警報信号検出部２に電力を供給する。
【００３３】
制御部８は、オーディオ信号出力装置を総合的に制御する。制御部８は、操作部６からの指示信号に基づいて、第１入力端子１ａ〜第３入力端子１ｃから入力した信号を操作部６により設定された出力先（第１出力端子５ａ（第１スピーカ１４ａ）〜第３出力端子５ｃ（第３スピーカ１４ｃ））に出力するように第１入力切換部３ａ〜第３入力切換部３ｃを切り換える制御を行う。制御部８は、第１出力部４ａ〜第３出力部４ｃの第１信号処理部１２ａ〜第３信号処理部１２ｃ、第１増幅部１３ａ〜第３増幅部１３ｃの制御を行う。
【００３４】
制御部８は、緊急警報信号検出部２から検出信号が入力された場合、緊急警報放送受信装置９から入力する信号を、第１出力端子５ａ〜第３出力端子５ｃの全てから出力するよう第１入力切換部３ａ〜第３入力切換部３ｃに入力する信号の切り換えを制御する。
【００３５】
例えば、制御部８は、第２出力端子５ｂからＣＤプレーヤ１０のオーディオ信号を出力し、第３出力端子５ｃからＭＤプレーヤ１１のオーディオ信号を出力し、緊急警報信号検出部２が緊急警報放送受信装置９の信号から緊急警報信号を検出し、当該緊急警報信号検出部２から検出信号の入力があった場合、第１出力端子５ａ〜第３出力端子５ｃの全てから緊急警報放送受信装置９から入力する信号を出力するように第２入力切換部３ｂ及び第３入力切換部３ｃにおいて入力する信号を緊急警報放送受信装置９側に切り換える制御を行う。
【００３６】
また、制御部８は、電源部７がスタンバイ状態の場合でも、緊急警報信号検出部２において緊急警報信号が入力されたことを検出し、緊急警報信号検出部２から検出信号が入力されると、電源部７を制御し、オン状態に切り換える。その後、第１入力切換部３ａ〜第３入力切換部３ｃを制御し、全ての入出力切換部において切り換えスイッチを第１入力端子１ａ（緊急警報放送受信装置９）側に切り換え、第１出力端子５ａ〜第３出力端子５ｃからそれぞれ緊急警報放送受信装置９から入力した信号を出力させる。
【００３７】
このことにより、オーディオ信号出力装置がスタンバイ状態の場合であっても、緊急警報放送を緊急警報放送受信装置９が受信すると、自動的に、第１出力端子５ａ〜第３出力端子５ｃから緊急警報放送を出力するため、ユーザが異なる部屋で確実に緊急警報放送を聴取することができる。
【００３８】
本実施例のオーディオ信号出力装置の動作について、図１及び図２に基づいて説明する。
図２は、本実施例のオーディオ信号出力装置において緊急警報信号を検出した場合の動作を説明する図である。
図１において、オーディオ信号出力装置は、第１入力端子１ａに緊急警報放送受信装置９が接続され、第２入力端子１ｂにＣＤプレーヤ１０が接続され、第３入力端子１ｃにＭＤプレーヤ１１が接続されている。
【００３９】
操作部６の設定により、第１スピーカ１４ａ（第１出力端子５ａ）から緊急警報放送受信装置９の信号を出力するように設定され、第２スピーカ１４ｂ（第２出力端子５ｂ）からＣＤプレーヤ１０のオーディオ信号を出力するように設定され、第３スピーカ１４ｃ（第３出力端子５ｃ）からＭＤプレーヤ１１のオーディオ信号を出力するように設定されている場合、図２（ａ）に示すように、第１入力切換部３ａは、切り換えスイッチが緊急警報放送受信装置９側に接続し、第２入力切換部３ｂは、切り換えスイッチがＣＤプレーヤ１０側に接続し、第３入力切換部３ｃは、切り換えスイッチがＭＤプレーヤ１１側に接続する。
【００４０】
図１に示す緊急警報信号検出部２は、第１入力端子１ａから入力する信号を常に監視する。緊急警報放送受信装置９から緊急警報信号が出力されると、緊急警報信号検出部２は、緊急警報放送受信装置９が接続されている第１入力端子１ａから入力された信号から緊急警報信号を検出し、制御部８に検出信号を出力する。
【００４１】
制御部８は、緊急警報信号検出部２から検出信号が入力されると、第２入力切換部３ｂ及び第３入力切換部３ｃの切り換えスイッチを緊急警報放送受信装置９（第１入力端子１ａ）側に切り換える。すなわち、図２（ｂ）に示すように、第２入力切換部３ｂにおいては、切り換えスイッチをＣＤプレーヤ１０側から緊急警報放送受信装置９側に切り換え、第３入力切換部３ｃにおいては、切り換えスイッチをＭＤプレーヤ１１側から緊急警報放送受信装置９側に切り換える。
【００４２】
このことにより、第１出力部４ａ〜第３出力部４ｃの全てから緊急警報放送受信装置９側からの信号が、それぞれ第１出力端子５ａ〜第３出力端子５ｃを介して、ベットルーム（ゾーン１）に設置された第１スピーカ１４ａ、視聴ルーム（ゾーン２）に設置された第２スピーカ１４ｂ、リビングルームに設置された第３スピーカ１４ｃに出力される。
【００４３】
したがって、ＣＤプレーヤやＭＤプレーヤが再生したオーディオ信号をユーザが聴取している場合でも、オーディオ信号出力装置が緊急警報放送受信装置９からの緊急警報信号を検出すると、自動的に、緊急警報放送受信装置９の信号を全てのスピーカから出力するように切り換えを行う。このため、ユーザは、緊急警報放送が放送されると確実に緊急警報放送を聴取することができる。
【００４４】
また、オーディオ信号出力装置が緊急警報信号を検出した場合に、自動的に、全てのスピーカから緊急警報放送が出力するように切り換えを行うため、スピーカが異なる部屋に配置されている場合、それぞれの部屋でユーザが確実に緊急警報放送を聴取することができる。
【００４５】
また、オーディオ信号出力装置の電源がスタンバイ状態の場合でも、緊急警報信号検出部２が緊急警報信号を検出した場合、電源をスタンバイ状態からオン状態に切り換え、第１入力切換部３ａ〜第３入力切換部３ｃの切り換えを行うため、ユーザが確実に緊急警報放送を聴取することができる。
【００４６】
前述した実施例において、緊急警報信号検出部２は、緊急警報放送受信装置９が接続されている第１入力端子１ａから入力する信号のみから緊急警報信号の検出を行っているが、他の端子から入力する信号からも緊急警報信号を検出するようにしてもよい。例えば、当該オーディオ信号出力装置に、緊急警報信号受信装置以外に、テレビジョン受信機やラジオ受信機が接続されている場合、テレビジョン受信機が接続されている入力端子やラジオ受信機が接続されている入力端子からも緊急警報信号を検出するようにする。このことにより、緊急警報放送受信装置が正常に動作しない場合、テレビジョン受信機或いはラジオ受信機から緊急警報信号を検出することができ、異なる場所（部屋）にいる複数のユーザに対して確実に緊急警報信号を聴取させることができる。
【００４７】
また、本実施例のオーディオ信号出力装置は、緊急警報信号を検出した場合、当該オーディオ信号出力装置の出力端子に接続されている全てのスピーカから緊急警報信号を出力するが、テレビジョン受信機以外にモニタ等の表示装置が接続されている場合、その表示装置に緊急警報放送のヒデオ信号も出力するようにしてもよい。
【００４８】
例えば、第１入力端子にテレビジョン受信機が接続され、第２入力端子にＤＶＤプレーヤが接続され、ビデオ出力端子にモニタが接続され、当該ビデオ出力端子からＤＶＤプレーヤによって再生されたビデオ信号が出力され、モニタにＤＶＤプレーヤが再生した映像を表示する場合がある。この場合、緊急警報信号検出部がテレビジョン受信機から入力する信号から緊急警報信号を検出すると、入力切換部により入力するオーディオ信号を全てテレビジョン受信機側に切り換えると共に、ビデオ出力端子に出力するビデオ信号の入力元もテレビジョン受信機側に切り換える。このことにより、緊急警報情報が文字情報のみで放送されている場合、モニタを視聴しているユーザは緊急警報放送を視聴することができる。
【００４９】
前述したオーディオ信号出力装置は、複数の入力端子と複数の出力端子を備えるとして説明したが、入力端子が１つであり、出力端子を複数備える装置であっても本発明を適用できる。当該オーディオ信号出力装置は、外部の装置からの信号が入力される入力端子と、入力端子から入力したオーディオ信号に信号処理を施し増幅する出力部と、出力部から出力された信号を外部に出力することが可能な第１出力端子及び第２出力端子、出力部と第１出力端子及び第２出力端子との間に配置された入力切換部を備える。入力切換部は、制御部により制御され、出力部から出力される信号の出力先（第１出力端子、第２出力端子）を選択して切り換えを行う。また、当該オーディオ信号出力部は、前述した実施例で説明した緊急警報信号検出部を備える。
【００５０】
入力端子から入力した信号が第１出力端子から出力されている状態において、緊急警報信号検出部が、入力端子から入力した信号から緊急警報信号を検出すると、検出信号を制御部に出力する。制御部は、検出信号が入力されると、入力切換部を制御し、出力部から出力された信号を第１出力端子及び第２出力端子から出力されるよう入力切換部の切り換えを行う。このことにより、入力端子から入力された信号が第１出力端子と第２出力端子から出力される。
【００５１】
また、当該オーディオ信号出力装置の電源部がスタンバイ状態の場合、前述した実施例と同様に、制御部は、緊急警報信号検出部から緊急警報信号を検出したことを示す検出信号が入力されると、電源部をオン状態にし、入力切換部を制御し、出力部から出力された信号を第１出力端子及び第２出力端子から出力されるよう入力切換部の切り換えを行う。
【００５２】
このように、入力端子が１つであり、出力端子を複数備えるオーディオ信号出力装置であっても、入力端子から入力する信号から緊急警報信号を検出すると、自動的に、入力端子から入力する信号（緊急警報信号）を全ての出力端子（スピーカ）から出力するように切り換えを行う。このため、ユーザは、緊急警報放送が放送されると確実に緊急警報放送を聴取することができる。
【００５３】
また、オーディオ信号出力装置が緊急警報信号を検出した場合に、自動的に、全てのスピーカから緊急警報放送が出力するように切り換えを行うため、スピーカが異なる部屋に配置されている場合でも、それぞれの部屋でユーザが確実に緊急警報放送を聴取することができる。
【００５４】
また、オーディオ信号出力装置の電源部がスタンバイ状態の場合、緊急警報信号検出部２が緊急警報信号を検出すると、電源部をスタンバイ状態からオン状態に切り換え、入力切換部の切り換えを行い、全ての出力端子から外部に信号を出力するため、ユーザが確実に緊急警報放送を聴取することができる。
【図面の簡単な説明】
【００５５】
【図１】本発明のオーディオ信号出力装置の一実施形態の概略構成を示すブロック図。
【図２】本実施例のオーディオ信号出力装置において緊急警報信号を検出した場合の動作を説明する図。
【符号の説明】
【００５６】
１ａ・・・第１入力端子、１ｂ・・・第２入力端子、１ｃ・・・入力端子、２・・・緊急警報信号検出部、３ａ・・・第１入力切換部、３ｂ・・・第２入力切換部、３ｃ・・・第３入力切換部、４ａ・・・第１出力部、４ｂ・・・第２出力部、４ｃ・・・第３出力部、５ａ・・・第１出力端子、５ｂ・・・第２出力端子、５ｃ・・・第３出力端子、６・・・操作部、７・・・電源部、８・・・制御部、９・・・緊急警報放送受信装置、１０・・・ＣＤプレーヤ、１１・・・ＭＤプレーヤ、１２ａ・・・第１信号処理部、１２ｂ・・・第２信号処理部、１２ｃ・・・第３信号処理部、１３ａ・・・第１増幅部、１３ｂ・・・第２増幅部、１３ｃ・・・第３増幅部、１４ａ・・・第１スピーカ、１４ｂ・・・第２スピーカ、１４ｃ・・・第３スピーカ。
【図１】
2006279523.tif 000003
【図２】
2006279523.tif 000004